(57)【特許請求の範囲】
【請求項１】
カメラ本体に収納される収納位置とカメラ本体から突出される発光位置とに移動可能な可動式のストロボと、該ストロボが発光位置から収納位置に向けて移動される際に、ストロボ側に取り付けられた押圧部材に押圧されて閉じることによりストロボの発光を禁止するスイッチとを備えたストロボ内蔵カメラにおいて、
前記スイッチは、前記カメラ本体に取り付けられるとともに、スイッチの開閉方向がストロボの移動方向と直交する方向に配置され、
前記押圧部材には、前記ストロボの移動により前記スイッチを押圧して閉じるテーパ部が形成されていることを特徴とするストロボ内蔵カメラ。
【請求項２】
前記押圧部材の前記テーパ部は、ストロボ光がカメラ本体に遮られない範囲の終端位置にストロボが移動した位置でスイッチを閉じることを特徴とする請求項１記載のストロボ内蔵カメラ。
【発明の詳細な説明】
【０００１】
【発明の属する技術分野】
本発明は、カメラ本体に収納される収納位置とカメラ本体から突出した発光位置とに移動することができる可動式のストロボが内蔵されたストロボ内蔵カメラに関する。
【０００２】
【従来の技術】
特開平１０−１０４６９６号公報等に開示されたストロボ内蔵カメラのストロボは、撮影レンズ鏡胴の沈胴、及び繰り出し動作に連動して駆動される。即ち、前記ストロボは、撮影レンズ鏡胴の沈胴時、即ち、電源がＯＦＦの状態の時にはカメラ本体に収納され、電源がＯＮされて撮影レンズ鏡胴が初期位置に繰り出されると、カメラ本体から突出移動されて発光位置に位置される。
【０００３】
このようなストロボ内蔵カメラは、発光位置に位置しているストロボを外力から保護するために、外力を吸収する外力吸収機構が設けられている。この外力吸収機構は、ストロボに加わった外力を、ストロボを収納方向に逃がすことによって吸収する機構である。
【０００４】
外力吸収機構を備えたストロボ内蔵カメラには、外力でストロボが収納方向に逃げた時に、ストロボの発光を禁止するスイッチが設けられている。
【０００５】
特開平８−１８４８８３号公報に開示されたストロボ内蔵カメラのスイッチは、スイッチの開閉方向がストロボの移動方向と同方向になるようにストロボ側に取り付けられている。このスイッチを押圧して閉じるストロボの押圧部材は、カメラ本体側に設けられるとともに、ストロボが発光位置に位置した時にスイッチを閉じることができる位置に設けられている。かかるストロボ内蔵カメラによれば、ストロボが発光位置に位置した時にスイッチが閉じられてストロボの発光が許可され、ストロボが収納位置に向けて若干量移動されると、スイッチが押圧部材から退避するのでスイッチが開放され、ストロボの発光が禁止される。
【０００６】
しかしながら、特開平８−１８４８８３号公報のストロボ内蔵カメラは、動くストロボ側にスイッチが設けられているので、ストロボが動く時にスイッチのリードが屈曲するためのスペースをストロボに確保しなければならず、ストロボが大型になるという欠点があった。また、リード線の屈曲部に疲労が蓄積し、屈曲部が断線するという虞もあった。
【０００７】
そこで、このような不具合を防止するために、スイッチをカメラ本体に設けたストロボ内蔵カメラが提案されている。このストロボ内蔵カメラは、スイッチがストロボ収納方向側の終端位置に設けられ、終端位置にストロボが移動してくると、スイッチがストロボの底部に押圧されて閉じる。これによって、ストロボの発光が禁止される。
【０００８】
【発明が解決しようとする課題】
しかしながら、ストロボ収納方向側の終端位置にスイッチを設けた前記従来のストロボ内蔵カメラは、ストロボの発光が収納位置の直前まで許可されているので、外力でストロボが収納位置の直前まで収納されていることをカメラマンが気付かずに、ストロボを発光させると、ストロボ光の熱がカメラ本体内に放出され、熱に弱いカメラの回路部品等に悪影響を与える場合があるという欠点があった。
【０００９】
本発明はこのような事情に鑑みてなされたもので、収納位置と発光位置とに移動することができる可動式のストロボであって、収納方向に移動された時に適切な位置でストロボの発光を禁止することができるストロボ内蔵カメラを提供することを目的とする。
【００１０】
【課題を解決するための手段】
本発明は、前記目的を達成するために、カメラ本体に収納される収納位置とカメラ本体から突出される発光位置とに移動可能な可動式のストロボと、該ストロボが発光位置から収納位置に向けて移動される際に、ストロボ側に取り付けられた押圧部材に押圧されて閉じることによりストロボの発光を禁止するスイッチとを備えたストロボ内蔵カメラにおいて、前記スイッチは、前記カメラ本体に取り付けられるとともに、スイッチの開閉方向がストロボの移動方向と直交する方向に配置され、前記押圧部材は、前記ストロボの移動により前記スイッチを押圧して閉じるテーパ部が形成されていることを特徴とする。
【００１１】
請求項１記載の発明によれば、ストロボの発光を禁止するスイッチを、カメラ本体に設けるとともに、スイッチの開閉方向がストロボの移動方向と直交する方向に配置することを特徴としている。このような方向にスイッチを配置すれば、スイッチをストロボ収納位置の終端位置に配置する必要がなくなり、よって、ストロボの移動ストークの範囲内であればどの位置でも配置することが可能になる。したがって、ストロボを収納方向に移動した時に、適切な位置でストロボの発光を禁止する位置にスイッチを配置することができる。
【００１２】
請求項２記載の発明によれば、前記スイッチを押圧して閉じるストロボの押圧部材を、ストロボに設けるとともに、ストロボ光がカメラ本体に遮られない範囲の終端位置にストロボが移動した位置でスイッチを閉じるように構成した。かかる構成によって、ストロボ光がカメラ本体に遮られる位置ではストロボは発光しないので、ストロボ光の熱がカメラ本体内に放出されず、よって、熱に弱いカメラの回路部品等をストロボ光の熱から保護することができる。
【００１３】
【発明の実施の形態】
以下添付図面に従って本発明に係るストロボ内蔵カメラの好ましい実施の形態を詳述する。
【００１４】
図１は、本発明の実施の形態に係るストロボ内蔵カメラ１が示され、このカメラ１のカメラ本体１２前面には、ズーム機能を有する撮影レンズ鏡胴３、オートフォーカスセンサ及び露出センサを有する窓４、及びファインダ窓５がそれぞれ所定の位置に配置される。また、カメラ本体１２前面の図１上右上隅部には、本発明の実施の形態の可動式ストロボ１０が配置され、更に、カメラ本体１２の上面の左側には、カメラマンの右手で操作されるシャッターボタン６が配置されている。
【００１５】
図２は、ストロボ１０がカメラ本体１２に収納された状態を示す断面図であり、図３はストロボ１０が発光位置に位置されてストロボ放電管１４がＷＩＤＥ端に位置している状態を示す断面図、図４はストロボ放電管１４がＴＥＬＥ端に位置している状態を示す断面図である。
【００１６】
これらの図に示すストロボ１０は、図３、図４において二点鎖線で示す撮影レンズ鏡胴３の沈胴、繰り出し及びズーム動作に連動して動作されるものであり、撮影レンズ鏡胴３の沈胴時には図２の収納位置に位置され、撮影レンズ鏡胴３が繰り出されてＷＩＤＥ端（初期位置）に位置された時には図３の発光位置、そして、撮影レンズ鏡胴３がズーム動作されＴＥＬＥ位置に位置された時には図４の位置にそれぞれ位置される。
【００１７】
次に、ストロボ１０及びストロボ放電管１４を移動させるための、移動機構１８について説明する。
【００１８】
移動機構１８は図５、図６に示すように、カムラック２０、カム板２２、倍速レバー２４、及びカム溝２５とカムピン２８とからなるカム機構を主な構成としている。
【００１９】
カムラック２０には、上下一対の長孔３０、３２が鉛直方向に形成され、この長孔３０、３２には、図６のカメラ本体１２の側面に締結されるガイドピン３４、３６が嵌合される。これにより、カムラック２０がカメラ本体１２の側面に取り付けられる。また、カムラック２０の図６上右側部には、ラック３８が鉛直方向に形成されている。このラック３８には、カメラ本体１２の前面に回動自在に設けられたピニオン４０が噛合され、ピニオン４０は図示しない駆動モータの出力軸に減速ギア４２、４４を介して連結されている。したがって、前記駆動モータが正転／逆転駆動されると、その動力がカムラック２０に伝達されるので、カムラック２０は長孔３０、３２とガイドピン３４、３６とにガイドされて上下方向に移動する。
【００２０】
カムラック２０のラック３８の上部には、カムピン２８が突設部２１を介して取り付けられ、カムピン２８はカム板２２のカム溝２５に係合される。また、カムラック２０の上端部には、折曲された爪部４６が形成され、この爪部４６は、倍速レバー２４の下部に形成された係合部４７に係合される。爪部４６は、カムラック２０の図２に示した沈胴位置から図３に示したＷＩＤＥ端位置までの移動時において、係合部４７との係合状態が保持されるとともに、図３から図４に示すＴＥＬＥ方向の移動時においては、係合部４７から退避移動されて係合状態が解除される。
【００２１】
倍速レバー２４は、図６の如くピン４８を介してカメラ本体１２の側面に回動自在に取り付けられる。この倍速レバー２４の図５上で右斜め上方に伸びるアーム２５の先端にはピン５０が設けられ、ピン５０は、ストロボ１０を移動（開閉）させるレバー５２の長孔５４に嵌合される。レバー５２は、軸５６に回動自在に支持される。また、ストロボ１０のストロボケース１１は、軸５６に挿入された図６のコイルばね８０に係合されており、コイルばね８０の付勢力によってストロボ１０は、軸５６を中心に図５上反時計回り方向（ストロボ１０の閉方向）に付勢されている。なお、ストロボケース１１は、図６の如く上ケース１１Ａと下ケース１１Ｂとから構成される。また、倍速レバー２４は、圧縮ばね８２を介してカメラ本体１２に支持されているので、この圧縮ばね８２の付勢力によって倍速レバー２４は、ピン４８を回動支点として図５上反時計回り方向に付勢された状態でカメラ本体１２に取り付けられる。
【００２２】
かかる構成によってカムラック２０が図２の位置から上昇移動されると、爪４６が係合部４７に対して離間する上方向に逃げていくので、倍速レバー２４は、圧縮ばね８２の付勢力でピン４８を中心に図３の如く反時計回り方向に回動していく。この方向に倍速レバー２４が回動していくと、カムラック２０の移動ストロークが倍速レバー２４に倍速されてレバー５２に伝達される。これにより、レバー５２が軸５６を中心に時計回り方向に回動していき、そして、レバー５２の上面５３が、ストロボケース１１の内面に取り付けられた突片６２に当接し、ストロボケース１１を上方に押圧する。この動作によって、ストロボケース１１が、コイルばね８０の付勢力に抗して軸５６を中心に時計回り方向に回動していき、図３に示した発光位置に位置する。よって、ストロボ１０は、圧縮ばね８２の付勢力によって発光位置に保持される。
【００２３】
一方、カム板２２は、図５の如く略円板状に形成されたカム板本体８４、及びこのカム本体８４から上方に突出形成されたレバー部８６から構成される。また、カム板本体８４は、その略中央部が、ガイドピン３４に軸支されている。
【００２４】
カム板本体８４の図５上左側方にカム溝２５が形成され、カム溝２５は、鉛直方向に伸びる第１カム溝８８と、第１カム溝８８の上端に連設された、左斜め上方に伸びる第２カム溝９０とから構成される。
【００２５】
これらのカム溝８８、９０にカムラック２０のカムピン２８が係合されるが、このカムピン２８は、カムラック２０の第１昇降範囲（図２から図３までの移動範囲）において第１カム溝８８内で上下に移動される。したがって、第１昇降範囲では、カムラック２０からの動力がカム板２２に伝達されない。一方、カムピン２８は、カムラック２０の第２昇降範囲（図３から図４までの移動範囲）において第２カム溝９０内で移動される。したがって、第２昇降範囲では、カムラック２０からの動力がカム板２２に伝達される。これにより、カム板２２は、ガイドピン３４を回動中心として図３の位置から図４の位置に向けて時計回り方向に所定角度回動する。よって、レバー部８６の摺動面８６Ａに当接されているカムフォロア２６が、レバー部８６に押されて右方向に移動されるので、カムフォロア２６に連結されているストロボ放電管１４が反射笠６８とともに後方に移動し、照射角が切り換えられる。
【００２６】
カムフォロア２６は、図５の如くロッド６４にスライダ６６を介してスライド移動自在に取り付けられる。ロッド６４は、ストロボケース１１の下部に水平方向に配設され、これにより、カムフォロア２６は前後方向にスライド移動することができる。また、スライダ６６には、ストロボ放電管１４の反射笠６８の下部が連結されているので、カムフォロア２６がスライド移動されると、ストロボ放電管１４が前述の如く反射笠６８とともに前後する。
【００２７】
更に、カムフォロア２６は、ロッド６４に挿通された圧縮ばね７０の先端部に連結されている。この圧縮ばね７０の基端部は、ストロボケース１１の後端部に固定されている。したがって、カムフォロア２６は、圧縮ばね７０の付勢力で前方に付勢されるので、ストロボ放電管１４は、ＷＩＤＥ方向に付勢された状態でストロボケース１１に取り付けられている。符号７２は、ストロボケース１１の前面に取り付けられたストロボ窓である。
【００２８】
ここで、図６に示したカメラ本体１２の構造について説明すると、カメラ本体１２の中央部には、矩形状の露光開口部１００が形成され、この露光開口部１００の前面にレンズ鏡胴３が配置される。また、露光開口部１００を挟んで図５上左側には、フイルムカートリッジの収納室１０２が形成されるとともに、右側にはフイルムの巻取室１０４が形成される。巻取室１０４は、カバー１０６によって側方開口部が閉塞され、このカバー１０６の外側に移動機構１８が配置される。また、巻取室１０４の上部には、電池収納室１０８が取り付けられ、電池収納室１０８の上部にストロボ１０が配置される。
【００２９】
更に、電池収納室１０８の前面には、本実施の形態のスイッチに相当するリーフスイッチ１１０が設けられたストロボ基板１１１が取り付けられる。
【００３０】
リーフスイッチ１１０は、一対の可動接触子１１２、１１４を有し、この接触子１１２、１１４は、カメラ本体１２の背面方向に向けて突出配置される。また、リーフスイッチ１１０は、図７の如く接触子１１２、１１４の可動方向（スイッチの開閉方向）Ａがストロボ１０の移動方向Ｂに対して直交する方向になるように配置されている。接触子１１２、１１４が接触されてリーフスイッチ１１０が閉じられると、その閉信号はカメラ１全体を統括制御するＣＰＵ１１６に出力される。そして、ＣＰＵ１１６は、前記閉信号が出力されると、ストロボ発光回路１１８にストロボ１０の発光を禁止する信号を出力する。これにより、ストロボ１０の発光が禁止される。
【００３１】
一方、ストロボケース１１の下ケース１１Ｂの図７上左側下部には、リーフスイッチ１１０を閉じるためのプレート（押圧部材）１２０が、下ケース１１Ｂと一体形成されている。プレート１２０は、ストロボ１０の移動方向Ｂと平行になるように、下ケース１１Ｂに対して直角方向に延出される。また、プレート１２０は、下ケース１１Ｂに連結された厚肉のプレート１２８と、このプレート１２８の下部にテーパ部１２９を介して連結された中肉のプレート１２２と、このプレート１２２の下部にテーパ部１２４を介して連結された薄肉のプレート１２６とが一体成形されて構成されている。
【００３２】
図７の発光位置において、プレート１２６の図７上右側面１２７は、接触子１１２の左側面に摺接されている。したがって、ストロボ１０が収納位置に向けて移動され、プレート１２６の右側面１２７が接触子１１２を通過する第１の移動範囲Ｌ１においては、接触子１１２はプレート１２６に押されない。これにより、リーフスイッチ１１０は開の状態が保持されるので、第１の移動範囲Ｌ１ではストロボ１０の発光が許可される。
【００３３】
第１の移動範囲Ｌ１は、図８上二点鎖線で示すストロボ１０の発光位置から、図８上実線で示すストロボ１０の位置、即ち、ストロボ光がカメラ本体１２に遮られない位置の終端位置の直前位置までの範囲に設定されている。
【００３４】
次に、ストロボ１０が第１の移動範囲Ｌ１を超えて収納方向に移動されると、図９の如くプレート１２０のテーパ部１２４が接触子１１２を通過する第２の移動範囲Ｌ２において、接触子１１２はテーパ部１２４に押されることにより、接触子１１４に向けて移動され、接触子１１２が接触子１１４に接触する。これにより、リーフスイッチ１１０は閉になり、ストロボ１０の発光が禁止される。したがって、ストロボ光がカメラ本体１２に遮られない範囲の終端位置でストロボ１０の発光が禁止される。
【００３５】
なお、リーフスイッチ１１０の取付誤差、又はプレート１２０の成形誤差に起因して、第２の移動範囲Ｌ２でリーフスイッチ１１０が閉にならない場合がある。この場合には、プレート１２２の図９上右側面１２３がリーフスイッチ１１０を通過する第３の移動範囲Ｌ３においても、リーフスイッチ１１０は閉にならない。しかし、プレート１２８のテーパ部１２９が接触子１１２を通過する第４の移動範囲Ｌ４では、接触子１１２がテーパ部１２９に押され、接触子１１２が接触子１１４に確実に接触する。これにより、前記誤差が生じていても、ストロボ１０が収納された時には、リーフスイッチ１１０が必ず閉になるので、ストロボ１０が収納された時のストロボ１０の発光を禁止することができる。
【００３６】
次に、前記の如く構成されたストロボ内蔵カメラ１の作用を説明する。
【００３７】
まず、図２のカメラ電源ＯＦＦの状態から、カメラの電源をＯＮにすると、モータに電力が供給されて図６のピニオン４０が反時計回り方向に回転する。これにより、カムラック２０が上方に移動されていくので、倍速レバー２４が図２から図３の如く、圧縮ばね８２の付勢力でピン４８を中心に反時計回り方向に回動していく。そして、前記方向に倍速レバー２４が回動していくと、カムラック２０の移動ストロークが倍速レバー２４に倍速され、ピン５０を介してレバー５２に伝達される。これにより、カムラック２０の少ない移動ストロークでレバー５２が軸５６を中心に時計回り方向に大きく回動していき、そして、レバー５２の上面５３が突片６２に当接し、ストロボケース１１を上方に押圧する。この動作によって、ストロボ１０が図２の収納位置から図３の発光位置に向けて開いていき、そして、カムラック２０が第１昇降範囲の終端まで移動されると、図３に示すようにストロボ１０が発光位置に位置し、ストロボ放電管１４がＷＩＤＥ位置に位置する。
【００３８】
この位置で前記モータに供給される電力が一旦停止し、この時、撮影レンズ鏡胴３はＷＩＤＥ端の初期位置で停止する。また、前記発光位置において、カムフォロア２６が圧縮ばね７０の付勢力で、カム板２２のレバー部８６の摺動面８６Ａに押圧当接されているので、ストロボ放電管１４はＷＩＤＥ位置に保持される。なお、電源をＯＦＦにすると、前記モータが先とは逆方向に回転駆動され、カムラック２０が下方に移動されるので、爪部４６が係合部４７を押下し、そして、倍速レバー２４が時計回り方向に回動し、ストロボ１０が閉じる。これにより、図２の収納位置にストロボ１０が戻る。
【００３９】
次に、図３に示したストロボ放電管１４の照射角を切り換える場合には、前記モータに電力を供給し、図６のピニオン４０を反時計回り方向に回転する。これにより、カム板２２がカムピン２８に押されて図３から図４の如く時計回り方向に回動していく。
【００４０】
カム板２２が前記方向に回動してくと、カムフォロア２６がレバー部８６に押されるとともにロッド６４にガイドされて後方に移動していき、そして、カムラック２０の第２昇降範囲の終端位置である図４の位置において、ストロボ放電管１４がＴＥＬＥ位置に位置する。
【００４１】
また、ストロボ放電管１４をＴＥＬＥ位置からＷＩＤＥ位置に切り換える場合には、前記ピニオン４０を図６上時計回り方向に回動させれば良い。これにより、カムフォロア２６がレバー部８６に押圧当接された状態で前方に移動するので、ストロボ放電管１４がＷＩＤＥ位置側に切り換えられる。
【００４２】
ところで、図８に示したＴＥＬＥ位置での撮影時において（図３に示したＷＩＤＥ位置での撮影時でもよい）、ストロボ１０に閉方向の外力Ｆが加えられると、倍速レバー２４がストロボ１０に押下されるので、ストロボ１０は、軸５６を中心に図８上反時計回り方向（閉方向）に回動していく。これにより、前記外力Ｆが吸収される。
【００４３】
そして、このような外力Ｆでストロボ１０が閉方向に回動していくと、ストロボ１０の第１の移動範囲Ｌ１では、図７に示したリーフスイッチ１１０がプレート１２０によって閉じられることはないので、ストロボ１０の発光が許可される。したがって、ストロボ光がカメラ本体１２に遮られない範囲において、ストロボ１０は発光する。
【００４４】
そして、ストロボ１０が第２の移動範囲Ｌ２で収納方向に移動されていくと、図９の如く接触子１１２がテーパ部１２４に押されるので、接触子１１２が接触子１１４に接触し、これによって、リーフスイッチ１１０が閉じる。したがって、ストロボ光がカメラ本体１２に遮られない範囲の終端位置でストロボ１０の発光が禁止される。そして、ストロボ１０が第２の移動範囲Ｌ２を超えて収納位置まで移動する第３の移動範囲Ｌ３において、接触子１１２はプレート１２２の図９上右側面１２３からプレート１２８の右側面１３０に押され、接触子１１４に確実に接触した状態が保持されるので、ストロボ１０の発光が禁止される。
【００４５】
したがって、本実施の形態のストロボ内蔵カメラ１のストロボ１０は、ストロボ光がカメラ本体１２で遮られる位置で発光を禁止するので、熱に弱いカメラの回路部品等をストロボ光の熱から保護することができる。
【００４６】
【発明の効果】
以上説明したように本発明に係るストロボ内蔵カメラによれば、ストロボの発光を禁止するスイッチを、カメラ本体に設けるとともに、スイッチの開閉方向がストロボの移動方向と直交する方向に配置したので、ストロボを収納方向に移動した時に適切な位置でストロボの発光を禁止することが可能になる。
【００４７】
また、本発明によれば、前記スイッチを押圧して閉じるストロボの押圧部材を、ストロボに設けるとともに、ストロボ光がカメラ本体に遮られない範囲の終端位置にストロボが移動した位置でスイッチを閉じるように構成したので、ストロボ光の熱がカメラ本体内に放出されず、よって、熱に弱いカメラの回路部品等をストロボ光から保護することができる。
【図面の簡単な説明】
【図１】本発明の実施の形態のストロボ内蔵カメラの斜視図
【図２】図１のストロボ内蔵カメラのストロボが収納位置に位置している状態を示すカメラ本体の断面図
【図３】図２のストロボが発光位置のＷＩＤＥ端に位置している状態を示すカメラ本体の断面図
【図４】図２のストロボが発光位置のＴＥＬＥ端に位置している状態を示すカメラ本体の断面図
【図５】ストロボ移動機構を構成する構成部材の説明図
【図６】カメラ本体に対する図５の移動機構の組立斜視図
【図７】発光位置に配置されたストロボとリーフスイッチとの関係を示す図
【図８】ストロボが発光位置から第１の移動範囲Ｌ１の終端位置まで移動された状態を示す図
【図９】ストロボが移動されてリーフスイッチが閉じられた状態を示す図
【符号の説明】
１…ストロボ内蔵カメラ、１０…ストロボ、１２…カメラ本体、１４…ストロボ放電管、１８…移動機構、２０…カムラック、２２…カム板、２４…倍速レバー、２６…カムフォロア、１１０…リーフスイッチ、１１２、１１４…接触子、１２０…プレート
【図１】
0003793984.tif 000002
【図２】
0003793984.tif 000003
【図３】
0003793984.tif 000004
【図４】
0003793984.tif 000005
【図５】
0003793984.tif 000006
【図６】
0003793984.tif 000007
【図７】
0003793984.tif 000008
【図８】
0003793984.tif 000009
【図９】
0003793984.tif 000010